(57)【要約】      （修正有）【課題】被災地や僻地等、医療設備が常設されていない地域においても緊急的な医療行為を効率良く実施すること。【解決手段】医療処置を実施可能に画成した処置部１０と、処置部１０を殺菌洗浄するための洗浄水を供給する浄化処理手段２１と、処置部１０を殺菌洗浄した後の廃水を処理するための廃水処理手段と、浄化処理手段２１から供給された洗浄水を処置部１０に対して噴霧する洗浄手段１４とを備え、かつこれら処置部１０、浄化処理手段２１、廃水処理手段２２及び洗浄手段１４をコンテナ１の内部に収容配置して医療用設備ユニットを構成している。【選択図】図１
2006239027.tif 000002
【特許請求の範囲】
【請求項１】
医療処置を実施可能に画成した処置部と、
前記処置部を殺菌洗浄するための洗浄水を供給する洗浄水供給手段と、
前記処置部を殺菌洗浄した後の廃水を処理するための廃水処理手段と、
前記洗浄水供給手段から供給された洗浄水を前記処置部に対して噴霧する洗浄手段と、
これら処置部、洗浄水供給手段、廃水処理手段及び洗浄手段を内部に収容配置するための収容手段と
を備えたことを特徴とする医療用設備ユニット。
【請求項２】
前記収容手段は、予め箱状に構成したコンテナであることを特徴とする請求項１に記載の医療用設備ユニット。
【請求項３】
前記処置部は、医療処置を施すための処置室と、この処置室に至るまでの間に構成した前室とを備えることを特徴とする請求項１に記載の医療用設備ユニット。
【請求項４】
少なくとも前記処置室の内壁面に撥水加工を施すことを特徴とする請求項１に記載の医療用設備ユニット。
【請求項５】
前記洗浄水供給手段は、食塩水を電気分解することにより生成した次亜塩素酸を含む洗浄水を前記洗浄手段に供給するものであることを特徴とする請求項３に記載の医療用設備ユニット。
【請求項６】
前記廃水処理手段は、廃水に対して殺菌処理を施す廃水殺菌部と、殺菌処理された廃水を凝集させる廃水凝集部とを有することを特徴とする請求項１に記載の医療用設備ユニット。
【請求項７】
前記廃水凝集部は、電極から溶解した金属コロイドによる凝集反応を利用して廃水を凝集させるものであることを特徴とする請求項６に記載の医療用設備ユニット。
【発明の詳細な説明】
【技術分野】
【０００１】
本発明は、被災地や僻地等、医療設備が常設されていない地域においても緊急的な医療行為を実施することが可能な医療用設備ユニットに関するものである。
【背景技術】
【０００２】
この種の医療用設備ユニットとしては、空気処理手段、発電手段、熱源手段、衛生手段を備えた機械室と、治療手段を備えた処置室とを収容手段の内部に設置することにより構成されたものが提供されている。空気処理手段は、処置室に対して空気浄化及び空気調和を行うものである。発電手段は、各所に対して電源を供給するためのものである。熱源手段は、冷暖房や給湯を行うためのものである。衛生手段は、給水や排水処理を行うものである。収容手段は、例えば可搬性を有した箱状を成すコンテナである。
【０００３】
この医療用設備ユニットによれば、収容手段を適宜の搬送手段で移送することにより、被災地や僻地等の移送先においても緊急的な医療行為を実施することが可能となる（例えば、特許文献１参照）。
【０００４】
【特許文献１】特開平４−８４９６４号公報
【発明の開示】
【発明が解決しようとする課題】
【０００５】
ところで、伝染性の疾患をもつものに対して医療行為を行った場合には、処置に用いた器具ばかりでなく、処置を行った処置室そのものの殺菌・洗浄処理が必要となる。しかも、殺菌・洗浄した後の廃水は、そのまま廃棄することができない。このため、従来の医療用設備ユニットにおいては、伝染性疾患をもつものに対して医療行為を行った場合、一旦設備の整った場所まで搬出し、殺菌・洗浄を行った後に再び被災地や僻地に移送しなければならないことになり、効率的に医療行為を行うことが困難である。
【０００６】
本発明は、上記実情に鑑みて、被災地や僻地等、医療設備が常設されていない地域においても緊急的な医療行為を効率良く実施することが可能な医療用設備ユニットを提供することを目的とする。
【課題を解決するための手段】
【０００７】
上記の目的を達成するために、本発明の請求項１に係る医療用設備ユニットは、医療処置を実施可能に画成した処置部と、前記処置部を殺菌洗浄するための洗浄水を供給する洗浄水供給手段と、前記処置部を殺菌洗浄した後の廃水を処理するための廃水処理手段と、前記洗浄水供給手段から供給された洗浄水を前記処置部に対して噴霧する洗浄手段と、これら処置部、洗浄水供給手段、廃水処理手段及び洗浄手段を内部に収容配置するための収容手段とを備えたことを特徴とする。
【０００８】
また、本発明の請求項２に係る医療用設備ユニットは、上述した請求項１において、前記収容手段は、予め箱状に構成したコンテナであることを特徴とする。
【０００９】
また、本発明の請求項３に係る医療用設備ユニットは、上述した請求項１において、前記処置部は、医療処置を施すための処置室と、この処置室に至るまでの間に構成した前室とを備えることを特徴とする。
【００１０】
また、本発明の請求項４に係る医療用設備ユニットは、上述した請求項１において、少なくとも前記処置室の内壁面に撥水加工を施すことを特徴とする。
【００１１】
また、本発明の請求項５に係る医療用設備ユニットは、上述した請求項３において、前記洗浄水供給手段は、食塩水を電気分解することにより生成した次亜塩素酸を含む洗浄水を前記洗浄手段に供給するものであることを特徴とする。
【００１２】
また、本発明の請求項６に係る医療用設備ユニットは、上述した請求項１において、前記廃水処理手段は、廃水に対して殺菌処理を施す廃水殺菌部と、殺菌処理された廃水を凝集させる廃水凝集部とを有することを特徴とする。
【００１３】
また、本発明の請求項７に係る医療用設備ユニットは、上述した請求項６において、前記廃水凝集部は、電極から溶解した金属コロイドによる凝集反応を利用して廃水を凝集させるものであることを特徴とする。
【発明の効果】
【００１４】
本発明によれば、移送先において洗浄手段から噴霧する洗浄水により処置部の殺菌・洗浄を行うことができ、さらに洗浄後の廃水を処理することも可能であるため、伝染性疾患をもつものに対して医療行為を行った場合に都度搬出、移送を行う必要が無くなり、被災地や僻地等、医療設備が常設されていない地域においても緊急的な医療行為を効率良く実施することが可能となる。
【発明を実施するための最良の形態】
【００１５】
以下に添付図面を参照して、本発明に係る医療用設備ユニットの好適な実施の形態について詳細に説明する。
【００１６】
図１は、本発明の実施の形態である医療用設備ユニットを概念的に示したものである。ここで例示する医療用設備ユニットは、車両、列車、船舶、航空機あるいはヘリコプターによって搬送可能なＩＳＯ（International Organization for Standardization）国際貨物コンテナ（収容手段）１、例えば１ＡＡ型式コンテナ（高さ２５９１×幅２４３８×全長１２１９２）や１ＣＣ型式コンテナ（高さ２５９１×幅２４３８×全長６０５８）の内部に構成したもので、処置部１０及び浄化廃水処理部２０を備えている。
【００１７】
処置部１０は、看者に対して医療行為を行う処置室１１と、出入口１２から処置室１１に至るまでの間に構成した前室１３とを備えたもので、防水性を有した１つのユニットとして構成してある。処置室１１及び前室１３の内部壁面は、いずれもフッ素樹脂材で被覆し、撥水性を有するように構成してある。尚、図には明示していないが、処置部１０には、医療行為に必要となる各種設備が整えてある。より詳細には、診断設備、治療設備、消毒設備、麻酔設備、手術設備、照明設備、空調設備が処置室１１の内部に用意してある。これらの設備は、処置室１１の内部、あるいは別個に用意した図示せぬ機械室の内部に収容してあり、さらに、不用意に移動することのないようにコンテナ１に対して固定設置してある。
【００１８】
また、処置部１０には、洗浄手段１４が設けてある。洗浄手段１４は、後述の浄化処理手段２１から供給された洗浄水を処置室１１及び前室１３の内部に噴霧することにより、これら処置室１１及び前室１３の殺菌・洗浄を行うためのものである。
【００１９】
浄化廃水処理部２０は、処置部１０に対する給排水処理を行うためのもので、浄化処理手段（洗浄水供給手段）２１及び廃水処理手段２２を備えた１つのユニットとして構成してある。尚、以下に説明する浄化廃水処理部２０の各構成要素に関しても、不用意に移動することのないようにコンテナ１に対して固定設置してある。
【００２０】
浄化処理手段２１は、吸水通路２１０を通じて外部から取得した水を処理するためのもので、図２に示すように、フィルタ２１１、取水タンク２１２、電解タンク２１３、注入タンク２１４及び保管タンク２１５を備えている。フィルタ２１１は、吸水通路２１０を通過する間に水を濾過するものである。取水タンク２１２は、フィルタ２１１を通過した後の濾過水を貯留するものである。電解タンク２１３は、食塩水を電気分解することによって次亜塩素酸ナトリウム水を生成するためのものである。電解タンク２１３の食塩水は、取水タンク２１２の濾過水と予め用意した食塩とによって生成するようにしている。電解タンク２１３で生成された次亜塩素酸ナトリウム水は、注入タンク２１４に殺菌剤として供給される一方、第１洗浄水供給通路２１６を通じて処置部１０の洗浄手段１４に洗浄水として供給されることになる。注入タンク２１４は、取水タンク２１２の濾過水に電解タンク２１３からの次亜塩素酸ナトリウム水を注入することにより、濾過水の殺菌を行うためのものである。保管タンク２１５は、注入タンク２１４で殺菌した後の殺菌水を貯留するものである。この保管タンク２１５に貯留された殺菌水は、上水供給通路２１７を通じて処置部１０に上水として供給される一方、第２洗浄水供給通路２１８を通じて処置部１０の洗浄手段１４に濯ぎ水として供給され、さらに廃水処理手段２２の電解タンク２１３にも供給される。尚、保管タンク２１５には、有効塩素濃度を一定に保持するための電解手段を設けておくことが好ましい。
【００２１】
廃水処理手段２２は、処置部１０から排出された廃水を処理するためのもので、図３に示すように、回収タンク２２０、電解タンク２２１、注入タンク２２２及び凝集タンク２２３を備えている。回収タンク２２０は、処置部１０から排出された廃水を一旦貯留するものである。電解タンク２２１は、食塩水を電気分解することによって次亜塩素酸ナトリウム水を生成するためのものである。電解タンク２２１の食塩水は、保管タンク２１５からの上水、もしくは取水タンク２１２からの濾過水と、予め用意した食塩とによって生成するようにしている。電解タンク２２１で生成された次亜塩素酸ナトリウム水は、注入タンク２２２に殺菌剤として供給される。尚、廃水処理手段２２の電解タンク２２１と浄化処理手段２１の電解タンク２１３とは、いずれか一方に設け、双方で共用するようにしても良い。注入タンク２２２は、回収タンク２２０の廃水に電解タンク２２１からの次亜塩素酸ナトリウム水を注入することにより、廃水の殺菌を行うためのものである。凝集タンク２２３は、注入タンク２２２で殺菌した後の廃水を凝集処理し、凝集物を除去した後の廃水を廃水通路２２４を通じて外部に排出するためのものである。図には明示していないが、本実施の形態では、電気化学反応を利用した凝集方法、例えば電極から溶解した金属コロイドによる凝集反応を利用して凝集処理を行うようにしている。
【００２２】
上述した処置部１０及び浄化廃水処理部２０で必要となる電源に関しては、コンテナ１の内部に専用の電源設備を設けても良いし、外部電源設備から電源供給できるように構成しても良い。図１に示した本実施の形態の場合には、外部電源設備３０から電源を供給するようにしている。外部電源設備３０としては、例えば、軽油を燃料としたディーゼルエンジン型発電機、あるいは灯油で発電可能なマイクロガスタービン型発電機等の可搬式のものを適用しても良いし、設置場所が既存の病院、医院、保健所等、一般の商用電源を利用できる場所であれば商用電源を適用しても構わない。
【００２３】
上記のように構成した医療用設備ユニットによれば、浄化処理手段２１を備えているため、予めコンテナ１の内部に上水を貯留しておく必要が無く、外部水源から取得した水を濾過・殺菌した後の上水として処置部１０に供給することができる。従って、被災地や僻地等、医療設備が常設されていない地域においても、河川や湖沼等、外部水源を確保できれば、緊急的な医療行為を長期に亘って実施することが可能となる。
【００２４】
しかも、浄化処理手段２１から洗浄手段１４に供給した洗浄水及び濯ぎ水によって処置部１０の殺菌・洗浄・濯ぎを行うことができる。さらに、廃水処理手段２２においては、処置部１０からの廃水を殺菌・凝集処理するようにしているため、洗浄後の廃水を河川や湖沼に排出することが可能である。この結果、伝染性の疾患をもつものに対して医療行為を行った場合にも、一旦設備の整った場所まで搬出し、殺菌・洗浄を行った後に再び被災地や僻地に移送する、といった非効率的な作業を行う必要が無くなり、効率的に医療行為を実施・継続することが可能となる。
【００２５】
尚、上述した実施の形態では、収容手段として予め箱状に構成したコンテナを例示しているため、医療用設備ユニットの搬送がきわめて容易になるものの、本発明は必ずしもこれに限定されない。例えば、複数のパネルによって収容手段を構成し、搬送先で箱体として組み立てるようにしても構わない。
【図面の簡単な説明】
【００２６】
【図１】本発明の実施の形態である医療用設備ユニットを示した概念図である。
【図２】図１に示した浄化処理手段の詳細構成を示す概念図である。
【図３】図１に示した廃水処理手段の詳細構成を示す概念図である。
【符号の説明】
【００２７】
１      コンテナ（収容手段）
１０      処置部
１１      処置室
１２      出入口
１３      前室
１４      洗浄手段
２０      浄化廃水処理部
２１      浄化処理手段（洗浄水供給手段）
２２      廃水処理手段
３０      外部電源設備
２１０      吸水通路
２１１      フィルタ
２１２      取水タンク
２１３      電解タンク
２１４      注入タンク
２１５      保管タンク
２１６      第１洗浄水供給通路
２１７      上水供給通路
２１８      第２洗浄水供給通路
２２０      回収タンク
２２１      電解タンク
２２２      注入タンク
２２３      凝集タンク
２２４      廃水通路
【図１】
2006239027.tif 000003
【図２】
2006239027.tif 000004
【図３】
2006239027.tif 000005